(57)【特許請求の範囲】
【請求項１】
複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動方法において、ｍ行ｎ列の直交行列Ｂの１列目からｎ列目までの行列要素（ｉ，ｊ）が、
ｍ行ｎ列の直交行列Ａの行列要素（ｉ，ｎ−ｊ＋１）と等しく、
連続して表示する二つのフレームの第１のフレームで直交行列Ａを用いて選択電圧を決定し、第２のフレームで直交行列Ｂを用いて選択電圧を決定することを特徴とする液晶表示装置の駆動方法。
【請求項２】
複数の行電極と複数の列電極を有する液晶表示装置の行電極を複数本一括し選択し、あらかじめ仮想行を設定し、選択した各行電極には選択電圧を印加し、列電極には表示データと選択電圧とから決定する列電圧を印加して表示を行う液晶表示装置の駆動方法において、ｍ行ｎ列の直交行列Ｂの行列要素（ｉ，ｊ）は、ｊが１以上かつ（ｎ−１）以下であるときには、ｍ行ｎ列の直交行列Ａの行列要素（ｉ，ｎ−ｊ）と等しく、ｊがｎに等しいときには、ｍ行ｎ列の直交行列Ａの行列要素（ｉ，ｊ）と等しく、連続して表示する二つのフレームの第１のフレームで直交行列Ａを用いて選択電圧を決定し、第２のフレームで直交行列Ｂを用いて選択電圧を決定するか、または、第１のフレームで直交行列Ｂを用いて選択電圧を決定し、第２のフレームで直交行列Ａを用いて選択電圧を決定することを特徴とする液晶表示装置の駆動方法。
【請求項３】
ｍ＝４、ｎ＝４で、かつ同時選択される各行電極に印加される選択電圧波形の周波数が等しい請求項１または２に記載の液晶表示装置の駆動方法。
【請求項４】
複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動装置において、ｍ行ｎ列の直交行列Ｂの１列目からｎ列目までの行列要素（ｉ，ｊ）が、ｍ行ｎ列の直交行列Ａの行列要素（ｉ，ｎ−ｊ＋１）と等しく、連続して表示する二つのフレームの第１のフレームで直交行列Ａを用いて選択電圧を決定し、第２のフレームで直交行列Ｂを用いて選択電圧を決定し、さらに列電圧を決定する列データ生成手段が備えられたことを特徴とする液晶表示装置の駆動装置。
【請求項５】
複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動装置において、ｍ行ｎ列の直交行列Ｂの行列要素（ｉ，ｊ）は、ｊが１以上かつ（ｎ−１）以下であるときには、ｍ行ｎ列の直交行列Ａの行列要素（ｉ，ｎ−ｊ）と等しく、ｊがｎに等しいときには、ｍ行ｎ列の直交行列Ａの行列要素（ｉ，ｊ）と等しく、連続して表示する二つのフレームのうちの、第１のフレームで直交行列Ａを用いて選択電圧を決定し、第２のフレームで直交行列Ｂを用いて選択電圧を決定するか、または、第１のフレームで直交行列Ｂを用いて選択電圧を決定し、第２のフレームで直交行列Ａを用いて選択電圧を決定し、さらに列電圧を決定する列データ生成手段が備えられたことを特徴とする液晶表示装置の駆動装置。
【請求項６】
ｍ＝４、ｎ＝４で、かつ同時選択される各行電極に印加される選択電圧波形の周波数が等しい請求項４または５に記載の駆動装置。
【発明の詳細な説明】
【０００１】
【発明の属する技術分野】
本発明はマトリックス型液晶表示装置の複数行を同時に選択して液晶に電圧を印加し、表示を行う駆動方法に関する。
【０００２】
【従来の技術】
液晶表示パネルの駆動に複数ライン同時選択法（Ｍｕｌｔｉｐｌｅ  ＬｉｎｅＡｄｄｒｅｓｓｉｎｇ、以下ＭＬＡ法という。）が提案されている（特開平６−２７９０７号、特開平８−６３１３１、特開平８−２３４１６４、特開平８−４３５７１など）。ＭＬＡ法では複数の走査電極（行電極）を一括して選択し、列電極には行電極に印加する電圧と表示データとから決定される列電圧を印加して液晶を駆動する。
【０００３】
ＭＬＡ法では、列電極に供給する列電圧の群、つまり、画像表示に必要となる表示パターンを独立に制御するために、同時選択する各行電極には所定の選択電圧パルス群（以下、選択パターンともいう）を印加する。
【０００４】
各行電極に印加する選択電圧パルス群をデジタル表記した場合、Ｌ行Ｋ列の行列で表すことができる。以下この行列を選択行列（Ａ）という。Ｌは行の同時選択数である。そして、選択電圧パルス群は互いに直交するベクトル群として表される。したがって、それらのベクトルを要素として含む行列は直交行列となる。また、各行列内の各行ベクトルは互いに直交である。以下、行電極をラインとも表し説明を行う。
【０００５】
ＭＬＡ法で用いる直交行列において、各行は液晶表示装置の各ラインに対応する。たとえば、Ｌ本の選択ライン中の第１番目のラインに対して、選択行列（Ａ）の第１行目の行列要素が適用される。すなわち、１列目の行列要素、次に２列目の行列要素の順に選択電圧パルスとして用いられ、第１番目の行電極に印加される。
【０００６】
図５は列電極に印加される電圧波形のシーケンスの決め方を示す説明図である。ここでは選択行列として４行４列の直交行列を例にあげる。図５（ａ）に示す選択行列で、「１」は正の選択パルス、「−１」は負の選択パルスを意味する。同時選択される各ラインに輝度差が生じないＭＬＡ法として、図５（ａ）の直交行列を用いることが提案された（特開平７−２８１６４５参照）。
【０００７】
この図５（ａ）の直交行列の各行の列成分が繰り返される場合、「１」、「−１」の現れ方は、位相が異なるだけで周波数は等しい。つまり、同時選択される各行電極に印加される選択電圧波形の周波数は等しいのである。
【０００８】
一方、アダマール行列のような直交行列の各列成分が繰り返される場合、「１」、「−１」の現れ方の周波数は等しくない。つまり、同時選択される各行電極に印加される選択電圧波形の周波数は等しくないのである。同時選択される各行電極に印加される選択電圧波形の周波数が等しくないと、同時選択される各ラインに輝度差が生じ、横筋の表示ムラとなって、表示品位が劣化するのである。こにような表示むらを回避するために、図５（ａ）の直交行列が用いられるのである。
【０００９】
列電極のある位置（ｉ，ｊ）で表示されるべき表示データが、図５（ａ）に示す白丸と黒丸の配列状態である場合、列電極に与えられる列表示パターンは図５(ｂ)のベクトル（ｄ）で表される。図５（ｂ）において、「−１」はオン表示に対応し、「１」はオフ表示に対応する。列電極のある位置（ｉ，ｊ）に順次印加されるべき列電圧パターンは、図５（ｂ）に示すベクトル（ｖ）のようになる。このベクトル（ｖ）は、画像表示の一部を構成する列表示パターンとそれに対応する行選択パターンについて、ビットごとに排他的論理和をとり、それらの結果の和をとったものに対応する。
【００１０】
このようなＭＬＡ法は液晶のフレーム応答を抑制できる。その結果、高速応答（立上り時間ｒ＋立下り時間ｄ＜２００ｍｓ）と、高コントラスト比（３０：１以上）を達成し、適切な回路構成を採用すれば低消費電力をも達成できる。そして、ＳＴＮ液晶などを用いた単純マトリックス型液晶表示装置において、従来の駆動法では困難とされていた高品位の画像提供を可能にしている。
【００１１】
【発明が解決しようとする課題】
単純マトリックス型液晶表示装置をＭＬＡ法で駆動して画像表示を行う場合に、特定の表示状態において問題が生じた。たとえば、図６（ａ）に示すように白背景の中で黒帯パターンを表示する場合である。この黒帯パターンを画面上で左から右へ移動させたときに、図６（ｂ）に示すように黒帯の左右の境界部にギザギザした輝度ムラが発生することがわかった。図中、右方向に突出するように輝度ムラが生じている。
【００１２】
逆に、図６（ｃ）に示すように、画面の右側から左側に移動した場合は、逆に黒帯パターンの左右の境界部の左側にギザギザした輝度ムラが発生し、これらの場合の、黒帯パターンの移動方向によって発生する輝度ムラの現れ方は左右対称であることがわかった。
【００１３】
これは、画面を構成する水平方向のラインに応じて、黒帯パターンの表示の境界部で輝度変化が生じたためである。Ｌ２、Ｌ３、Ｌ４の位置では白と黒の中間輝度を呈しているが、Ｌ１の位置では白の輝度を呈している。この輝度ムラが生じる原因について、図７、図８、図９を参照して説明する。
【００１４】
図５（ａ）に示した直交行列と、隣接する列電極ｉと列電極ｊの表示パターンの場合、列電極ｉと列電極ｊに順次印加されるべき電圧パターンは図５（ｂ）に示すベクトル（ｖ）のようになる。そのときの各画素に印加される列電圧と行電圧との合成電圧波形を図７に示す。
【００１５】
すなわち列電極ｉのＬ１の画素には図７の（Ｂ）（Ａ）（Ａ）（Ａ）の電圧波形が順次印加される。列電極ｊのＬ１の画素には図７の（Ｄ）（Ｃ）（Ｃ）（Ｃ）の電圧波形が順次印加される。ここで（Ａ）と（Ｄ）、（Ｂ）と（Ｃ）は、Ｖｍを中心にしてプラス（＋）とマイナス（−）の極性が異なるだけであり、それぞれ実効電圧は等しいのである。
【００１６】
図６（ａ）に示した黒帯パターンが画面上で左から右へ移動するときの、画素に印加される実効電圧について図８を参照し説明をする。
【００１７】
まず、図８（ａ）はフレーム番号、サブフレーム番号、およびＬ１、Ｌ２、Ｌ３、Ｌ４は行電極に対する出力パターンを表している。ここで出力パターンを「０」、「１」で示しているが、図５で示した直交行列の「−１」をここでは「０」と表記している。
【００１８】
図８（ｂ）は表示パターンを示している。すなわち白表示が「１」に、黒表示が「０」に対応しており、フレーム番号が２から３に切り替わる時点で表示が白から黒に切り替わることを示す。
【００１９】
図８（ｃ）は画素に印加される合成電圧波形の実効電圧の大きさを示す。ここでは図７に示した合成電圧波形に対して、実効電圧の大きさを示すため（Ａ）（Ｄ）の組み合わせを「１」、（Ｂ）（Ｃ）の組み合わせを「０」と表記している。
【００２０】
各画素では、この図に示した合成波形が印加されて光学輝度の変化を起こしている。第１フレームから第２フレームの期間では、表示パターンは白表示であるが、「０」を示す期間では黒表示と同一の合成電圧が印加される。
【００２１】
しかし、フレーム周波数は一般的に７０〜１２０Ｈｚに設定されるため、サブフレームの周波数は、その４倍の２８０〜４８０Ｈｚになる。しかし、このような瞬間的な電圧変化に対して液晶は完全に応答せず、その際の輝度変化は使用者には視認されない。
【００２２】
そこで実際に液晶が応答して、使用者に視認される過程を図８（ｄ）を参照して説明する。図８（ｄ）は図８（ｃ）の結果に対して連続する４つのサブフレーム、すなわち１フレームの期間の合計値を示している。Ｌ１の画素では、図８（ｃ）の第１フレームの第１サブフレームから第４サブフレームの値が「０、１、１、１」である。
【００２３】
したがって、第１フレームの第４サブフレームに加算値の３を入れる。また、第１フレームの第２サブフレームから第２フレームの第１サブフレームまでの値が「１、１、１、０」であるから第２フレームの第１サブフレームに加算値の３を入れる。他の位置にも同様の方法で加算値を記入すると図８（ｄ）の結果が得られる。
【００２４】
図８（ｄ）から分かるように、白表示している期間の第１フレームと第２フレームでは、加算値はすべて３になる。黒表示に変わった後、第３フレームの第４サブフレーム以降の加算値はすべて１である。しかし、第３フレームの第１サブフレームから第３サブフレームの期間の加算値は、０から４までの値にばらついており、かつＬ１からＬ４まで各サブフレームの値に違いがある。
【００２５】
第３フレームの第１サブフレームの加算値は、Ｌ１が４、Ｌ２からＬ４が２である。白表示の加算値が３、黒表示の加算値が１であることと比較を行ってみる。白表示から黒表示に切り替わる過渡期間において、Ｌ２からＬ４は白と黒との中間の加算値をとるのに対して、Ｌ１では白よりも高い値をとっていることが分かる。
【００２６】
したがって、図６（ａ）に示した黒帯パターンを左から右へ移動させたとき、図６（ｂ）に示したように黒帯の左右の境界部でＬ２、Ｌ３、Ｌ４では白と黒の中間輝度を呈するようになる（図面右側に突き出た輝度ムラ）。しかし、Ｌ１では白の輝度を呈するため、使用者にはギザギザした輝度ムラとして視認されるのである。
【００２７】
このように、ＭＬＡ法を用いた場合には、白表示から黒表示に切り替わる過渡期間において、加算値つまり画素に印加される電圧が、Ｌ１からＬ４に応じて異なることになる。よって、画面上に輝度差が生ずる。このため黒帯パターンを画面上で左から右へ移動させたとき黒帯の右側の境界部にギザギザした輝度ムラが発生して使用者に視認される。
【００２８】
次に、黒帯パターンを図面の右から左方向に移動した場合を説明する。図９（ａ）はフレーム番号、サブフレーム番号、およびＬ１、Ｌ２、Ｌ３、Ｌ４は行電極の出力パターンを示す。図９（ｂ）は表示パターンを示しており、フレーム番号２から３に切り替わる時点で、表示が黒から白に切り替わることを示している。図９（ｃ）は画素に印加される合成波形の実効電圧の大きさを示す。
【００２９】
図９（ｄ）は、図９（ｃ）の結果に対して、連続する４つのサブフレーム、すなわち１フレームの期間の合計値を示している。第３フレームの１サブフレームの加算値は、Ｌ１が０、Ｌ２からＬ４が２である。白表示の加算値が３、黒表示の加算値が１であることと、比較を行う。すると、黒表示から白表示に切り替わる過渡期間において、Ｌ２からＬ４は、白と黒との中間の加算値をとるのに対して、Ｌ１は黒よりも、低い値をとっていることがわかる。
【００３０】
したがって、図６（ａ）に示した図形の移動の場合には、図６（ｂ）のような輝度ムラを呈し、同様の理由で、図６（ｃ）に示した図形の移動の場合には、図６（ｄ）のような輝度ムラを呈することになる。
【００３１】
このように、ＭＬＡ法を用いた場合には、白表示から黒表示に切り替わる過渡期間において、加算値つまり画素に印加される電圧が、Ｌ１からＬ４に応じて異なることになる。そして、表示画面上に輝度差が生じる。このため、黒帯パターンを画面の右方向または左方向に移動させたとき、黒帯の左右の境界部にギザギザした輝度ムラが発生して使用者に視認されるようになる。
【００３２】
本発明では、そのような問題点を解決し、ＭＬＡ法を用いた液晶表示装置における動画表示の際に発生する輝度ムラを抑制し、均一な表示品位が得られることを目的とする。
【００３３】
【課題を解決するための手段】
すなわち、本発明の態様１は、複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動方法において、ｍ行ｎ列の直交行列Ｂの１列目からｎ列目までの行列要素（ｉ，ｊ）が、ｍ行ｎ列の直交行列Ａの行列要素（ｉ，ｎ−ｊ＋１）と等しく、連続して表示する二つのフレームの第１のフレームで直交行列Ａを用いて選択電圧を決定し、第２のフレームで直交行列Ｂを用いて選択電圧を決定することを特徴とする液晶表示装置の駆動方法を提供する。
【００３４】
また、態様２は、複数の行電極と複数の列電極を有する液晶表示装置の行電極を複数本一括し選択し、あらかじめ仮想行を設定し、選択した各行電極には選択電圧を印加し、列電極には表示データと選択電圧とから決定する列電圧を印加して表示を行う液晶表示装置の駆動方法において、ｍ行ｎ列の直交行列Ｂの行列要素（ｉ，ｊ）は、ｊが１以上かつ（ｎ−１）以下であるときには、ｍ行ｎ列の直交行列Ａの行列要素（ｉ，ｎ−ｊ）と等しく、ｊがｎに等しいときには、ｍ行ｎ列の直交行列Ａの行列要素（ｉ，ｊ）と等しく、連続して表示する二つのフレームのうちの、第１のフレームで直交行列Ａを用いて選択電圧を決定し、第２のフレームで直交行列Ｂを用いて選択電圧を決定するか、または、第１のフレームで直交行列Ｂを用いて選択電圧を決定し、第２のフレームで直交行列Ａを用いて選択電圧を決定することを特徴とする液晶表示装置の駆動方法を提供する。
【００３５】
また、態様３は、ｍ＝４、ｎ＝４で、かつ同時選択される各行電極に印加される選択電圧波形の周波数が等しい態様１または２に記載の液晶表示装置の駆動方法を提供する。
【００３６】
また、態様４は、複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動装置において、ｍ行ｎ列の直交行列Ｂの１列目からｎ列目までの行列要素（ｉ，ｊ）が、ｍ行ｎ列の直交行列Ａの行列要素（ｉ，ｎ−ｊ＋１）と等しく、連続して表示する二つのフレームの第１のフレームで直交行列Ａを用いて選択電圧を決定し、第２のフレームで直交行列Ｂを用いて選択電圧を決定し、さらに列電圧を決定する列データ生成手段が備えられたことを特徴とする液晶表示装置の駆動装置を提供する。
【００３７】
また、態様５は、複数の行電極と複数の列電極を有する液晶表示装置の行電極を複数本一括して選択し、選択した各行電極には選択電圧を印加し、列電極には表示データと選択電圧とから決定する列電圧を印加して表示を行う液晶表示装置の駆動装置において、ｍ行ｎ列の直交行列Ｂの行列要素（ｉ，ｊ）は、ｊが１以上かつ（ｎ−１）以下であるときには、ｍ行ｎ列の直交行列Ａの行列要素（ｉ，ｎ−ｊ）と等しく、ｊがｎに等しいときには、ｍ行ｎ列の直交行列Ａの行列要素（ｉ，ｊ）と等しく、連続して表示する二つのフレームのうちの、第１のフレームで直交行列Ａを用いて選択電圧を決定し、第２のフレームで直交行列Ｂを用いて選択電圧を決定するか、または、第１のフレームで直交行列Ｂを用いて選択電圧を決定し、第２のフレームで直交行列Ａを用いて選択電圧を決定し、さらに列電圧を決定する列データ生成手段が備えられたことを特徴とする液晶表示装置の駆動装置を提供する。
【００３８】
また、態様６は、ｍ＝４、ｎ＝４で、かつ同時選択される各行電極に印加される選択電圧波形の周波数が等しい態様４または５に記載の駆動装置を提供する。なお、本発明は基本的に２フレーム構成で駆動を行うものである。
【００３９】
【発明の実施の形態】
（例１）
図１は本発明に用いることのできる、二つで一組の４×４の直交行列の一例を示す。この二つの直交行列は、その行列要素が左右対称に構成されている。連続して表示する二つのフレームに対して、第１のフレームと第２のフレームにこれらの二つの直交行列を使用して液晶の駆動を行う。
【００４０】
図３および図４を参照して本発明の基本構成について説明する。図３（ａ）はフレーム番号、サブフレーム番号、およびＬ１、Ｌ２、Ｌ３、Ｌ４は行電極の出力パターンを示す。図１で示した直交行列の「−１」をここでは「０」と表記し、出力パターンを「０、１」で示している。この図３（ａ）に示すように第１フレームの期間において、第１フレーム用の４×４直交行列の出力パターンが行電極に出力される。そして、第２フレームでは、第２フレーム用の４×４直交行列の出力パターンが行電極に出力される。
【００４１】
図３（ｂ）は表示パターンを示している。すなわち白表示が１に、黒表示が０に対応しており、フレーム番号が２から３に切り替わる時点で表示が白から黒に切り替わることを示す。
【００４２】
図３（ｃ）は画素に印加される合成電圧波形の実効電圧の大きさを示す。図２（ｄ）は、図３（ｃ）の結果に対して、連続する４つのサブフレーム、すなわち１フレームの期間における合計値を示している。Ｌ１の画素では、図３（ｃ）の第１フレームの第１サブフレームから第４サブフレームの値が「０、１、１、１」であるから第１フレームの第４サブフレームに加算値の３を入れる。また第１フレームの第２サブフレームから第２フレームの第１サブフレームまでの値が「１、１、１、１」であるから、第２フレームの第１サブフレームに加算値の４を入れる。他の位置にも同様の方法で加算値を記入すると図３（ｄ）の結果が得られる。
【００４３】
図３（ｄ）から分かるように白表示から黒表示に切り替わる過渡期間において、第３フレームの第１サブフレームの加算値は、Ｌ１とＬ４が３、Ｌ２とＬ３が２である。白表示の加算値が３、黒表示の加算値が１であることと比較すると、Ｌ１からＬ４まで、白と同レベルの加算値または白と黒との中間の加算値をとる。
【００４４】
従来例で示した図８（ｄ）の場合、Ｌ１の加算値が４、他のＬ２からＬ４の加算値が２となるため輝度差が生じた。これに対して図３（ｄ）の結果では、Ｌ１からＬ４の輝度差は図８（ｄ）よりも低減できることが分かる。また、図６（ａ）に示した黒帯パターンを左から右へ移動させる実験を行ったところ、黒帯の右側の境界部で発生する従来のギザギザした輝度ムラが低減できることを確認した。同様に、図形を右から左に移動しても正常な表示を行うことができた。
【００４５】
次に、図２は本発明の液晶表示装置の駆動装置の一例を示すブロック図である。図２において、ＭＬＡ駆動装置１０は、画像データ１００、ドットクロック信号、垂直同期信号、水平同期信号、画像データの有効期間を示すデータ・イネーブル信号等の制御信号１０１を入力し、列ドライバに対して列データ信号１０４を出力し、列ドライバと行ドライバに対して必要な制御信号１０８を出力する。
【００４６】
ＭＬＡ駆動装置１０に入力される、階調信号を持った画像データ１００は、階調処理回路１１に入力される。階調処理回路１１は、入力した画像データ１００を各表示フレームごとの階調レベルを示す階調データ１０２に変換してフレームメモリ１２に書き込む。フレームメモリ１２は、書き込まれた階調データをＭＬＡ駆動するために複数回読み出されるまで保持する。
【００４７】
ＭＬＡ演算回路１３は、フレームメモリ１２から階調データ１０３を読み出して、列電極に印加される電圧パターンを生成し、列ドライバに出力する。また、タイミングコントロール回路１５は、各回路ブロックに対して必要な制御信号１０５、１０６、１０７と列ドライバ、行ドライバに対する制御信号１０８を生成する。
【００４８】
タイミングコントロール回路１５からＭＬＡ演算回路１３へ送信される制御信号１０７には、連続して表示する２つのフレームの第１フレームと第２フレームを識別する制御信号が含まれている。
【００４９】
ＭＬＡ演算回路１３では、この識別信号を利用して第１フレームでは図１に示す第１フレーム用の直交行列（図面の左側）を使用して列電極に印加する電圧パターンを生成し、また、第２フレームでは図１に示す第２フレーム用の直交行列（図面の右側）を使用して、列電極に印加する電圧パターンを生成する。
【００５０】
また、ＭＬＡ法においては、列電極に印加する電圧レベル数を低減化する方法が提案されている。印加電圧レベル数を低減するために、同時選択されるラインの一部を実際に表示を行わない仮想行とする駆動方法である。
【００５１】
（例２）
図１０は、４行４列の直交行列を用いる例であって、同時選択数を４とした場合、その第４ラインを仮想行として用いる。列電極の位置（ｉ，ｊ）において行電極Ｌ１、Ｌ２、Ｌ３で表示される表示データと、それに対応する仮想行データを図７（ａ）に示すように設ける。すると、列表示パターンは図１０（ｂ）に示すベクトル(ｄ)で表される。
【００５２】
そして、列表示パターンとそれに対応する行選択パターンとについてビットごとに排他的論理和をとり、それらの結果の和をとる。その結果、列電極のある位置（ｉ，ｊ）に順次印加されるべき電圧パターンは、図１０(ｂ)に示すベクトル(ｖ)のようになる。この場合、電圧パターンのレベルは「２」または「−２」の２レベルである。
【００５３】
図１１は、仮想行を用いて、二つで一組の構成となる直交行列の一例を示す。この仮想行を含む直交行列を使用したＭＬＡ法においては、画面上で黒帯パターンを左から右へ移動させたとき、黒帯の右側の境界部にギザギザした輝度ムラが生じにくく、良好な画面表示を行うことができる。この点について図１２を参照して説明する。
【００５４】
図１２（ａ）はフレーム番号、サブフレーム番号、およびＬ１、Ｌ２、Ｌ３、Ｌ４は行電極の出力パターンを示す。ここで出力パターンを「０、１」で示しているが、図１１で示した直交行列の「−１」をここでは「０」と表記している。この図に示すように第１フレームの期間において、第１のフレーム用の４×４直交行列（左側）の出力パターンが行電極に出力され、第２フレームでは、第２のフレーム用の４×４直交行列（右側）の出力パターンが行電極に出力される。
【００５５】
図１２（ｂ）は表示パターンを示している。すなわち白表示が「１」に、黒表示が「０」に対応しており、フレーム番号２から３に切り替わる時点で表示が白から黒に切り替わることを示す。
【００５６】
図１２（ｃ）は画素に印加される合成電圧波形の実効電圧の大きさを示す。図１２（ｄ）は、図１２（ｃ）の結果に対して連続する４つのサブフレーム、すなわち合計で１フレーム分の期間の加算値を示している。
【００５７】
図１２（ｄ）から分かるように白表示から黒表示に切り替わる過渡期間において、第３フレームの第１サブフレームの加算値は、Ｌ１とＬ３が３、Ｌ２とＬ４が２である。Ｌ１からＬ４まで、白と同レベルの加算値または白と黒との中間の加算値をとる。
【００５８】
従来例の説明として示した図８（ｄ）の場合、Ｌ１の加算値が４、他のＬ２からＬ４の加算値が２となるため輝度差が発生した。これに対して、本発明においては、図１２（ｄ）に示すように、Ｌ１からＬ４の輝度差は図８（ｄ）の場合よりも低減できることが分かった。
【００５９】
しかし、第３フレームの第２サブフレームの加算値は、Ｌ２が３、Ｌ１とＬ３が２であるの対してＬ４は１である。また、第３フレームの第３サブフレームの加算値は、Ｌ１、Ｌ２、Ｌ３が２であるのに対してＬ４は０である。このようにＬ４は他のラインに対して加算値が低く、画素に印加する電圧が下がる。したがって、他のラインより輝度が低下することになるが、Ｌ４は仮想行であり実際には表示されないため輝度ムラは発生しない。
【００６０】
この例においても図６（ａ）に示した黒帯パターンを左から右へ移動させたとき、黒帯の右側の境界部で発生する従来のギザギザした輝度ムラは低減された。また、同様の理由で、図形を右から左側に移動した場合であっても、輝度ムラは生じなく、正常な表示を行うことができた。このように、仮想行を用いた場合であっても、用いる直交行列の一部が、態様１と同様に、左右対称性の行列要素を有していれば、上記の輝度ムラの発生を防止できる。
【００６１】
次に、本例におけるＭＬＡ駆動装置の一例を示す。基本構成は上記の例１と同様であるので、図２を参照して説明する。図２においてＭＬＡ駆動装置１０は、画像データ１００、ドットクロック信号、垂直同期信号、水平同期信号、画像データの有効期間を示すデータ・イネーブル信号等の制御信号１０１を入力し、列ドライバに対して列データ信号１０４を出力し、列ドライバと行ドライバに対して必要な制御信号１０５を出力することは、例１と同様である。
【００６２】
フレームメモリ１２から読み出された階調データ１０３は、ＭＬＡ演算回路１３に入力される。ＭＬＡ演算回路１３では、列電極に印加する電圧のレベル数を２レベルにするために、３ラインの表示データに対応して仮想行のデータを生成した後、行選択パターンを用いてビットごとに排他的論理和をとり、列電極に印加する電圧パターン１０４を生成する。
【００６３】
ＭＬＡ演算回路１３では、タイミングコントロール回路１５から送信される第１フレームと第２フレームを識別する識別信号を利用して、第１フレームでは図１１に示す第１フレーム用の直交行列（左側）を使用して列電極に印加する電圧パターンを生成する。また、第２フレームでは図１１に示す第２フレーム用の直交行列（右側）を使用して、列電極に印加する電圧パターンを生成するのである。
【００６４】
【発明の効果】
このように、本発明によれば、行列要素の左側部分と右側部分とが左右対称の関係を有する二つで一組の直交行列を用いたＭＬＡ駆動方法により、白表示から黒表示、または黒表示から白表示に切り替わる過渡期間において発生するライン間の輝度ムラを抑制し、均一な表示品位が得られる。
【図面の簡単な説明】
【図１】本発明で用いる左右対称型の直交行列の一例を示す説明図。
【図２】本発明の駆動装置のブロック図。
【図３】本発明の実施例における実効電圧の変化を示す説明図。
【図４】本発明の他の実施例における実効電圧の変化を示す説明図。
【図５】ＭＬＡ駆動による列データ信号を示す説明図。
【図６】ＭＬＡ駆動による輝度ムラを示す説明図。
【図７】ＭＬＡ駆動による画素に印加される波形の説明図。
【図８】本発明のＭＬＡ駆動による実効電圧の変化を示す説明図。
【図９】本発明の他の例における実効電圧の変化を示す説明図。
【図１０】仮想行ラインを設けた場合のカラムデータ信号を示す説明図。
【図１１】本発明の例２における直交行列の一例を示す説明図。
【図１２】本発明の例２における実効電圧の変化を示す説明図。
【符号の説明】
１：左半分の直交行列
２：右半分の直交行列
【図１】
0004819262.tif 000002
【図２】
0004819262.tif 000003
【図３】
0004819262.tif 000004
【図４】
0004819262.tif 000005
【図５】
0004819262.tif 000006
【図６】
0004819262.tif 000007
【図７】
0004819262.tif 000008
【図８】
0004819262.tif 000009
【図９】
0004819262.tif 000010
【図１０】
0004819262.tif 000011
【図１１】
0004819262.tif 000012
【図１２】
0004819262.tif 000013